(57)【要約】【目的】予備発光を少ない消費電力によって実現し、複数の測光センサから正確な測光データを取得可能なストロボ発光制御装置を提供する。【構成】ストロボ発光部３０の発光を制御する発光制御装置であって、異なる測光領域を測光する複数の測光センサと、ストロボ装置を発光させるトリガパルスを出力するとともに、前記各測光センサの出力を順番に選択してＡ／Ｄ変換するＡ／Ｄ変換器２２ａを内蔵したＣＰＵ２１を備え、ＣＰＵ２１は、ストロボ発光部３０を本発光させる前に、所定周期のＰＷＭトリガパルスを出力して間欠予備発光させるとともに、ＰＷＭトリガパルスを基準にして、前記分割測光センサの出力を順番にＡ／Ｄ変換器２２ａにＡ／Ｄ変換させる。【選択図】      図５
2004272071.tif 000002
【特許請求の範囲】
【請求項１】
ストロボ装置の発光を制御する発光制御装置であって、
異なる測光領域を測光する複数の測光センサと、
ストロボ装置を発光させるトリガパルスを出力するとともに、前記各測光センサの出力を順番に選択してＡ／Ｄ変換する制御手段とを備え、
前記制御手段は、前記ストロボ装置を本発光させる前に、所定周期のトリガパルスを出力して予備発光させるとともに、該所定周期のトリガパルスを基準にして、前記各測光センサの出力を順番にＡ／Ｄ変換することを特徴とするストロボ発光制御装置。
【請求項２】
前記制御手段は、前記所定周期のトリガパルスの出力を開始した後、所定数のトリガパルスが出力された後に出力される前記トリガパルスを基準にして、前記各測光センサの出力を順番にＡ／Ｄ変換する請求項１記載のストロボ発光制御装置。
【請求項３】
前記Ａ／Ｄ変換は、前記トリガパルスの立ち上がりまたは立ち下がりから光量が最大になる所定時間経過時に実行する請求項１または２記載のストロボ発光制御装置。
【請求項４】
前記所定周期のトリガパルスは、ＰＷＭ制御されたパルスである請求項１から３のいずれか一項記載のストロボ発光制御装置。
【請求項５】
前記ストロボ発光制御装置はカメラに内蔵され、前記ストロボ装置は該カメラに内蔵されている請求項１から４のいずれか一項記載のストロボ発光制御装置。
【発明の詳細な説明】
【０００１】
【発明の技術分野】
本発明は、予備発光が可能なストロボ発光制御装置に関する。
【０００２】
【従来技術およびその問題点】
従来、ストロボ撮影する際に、露光時の本発光前に被写体にストロボ光を照射する予備発光をして測光するストロボ発光制御装置を搭載したカメラが知られている（特許文献１）。いわゆる分割測光が可能なカメラにおける外付けストロボによる予備発光は、外付けストロボにフラット（ＦＰ）発光させて、この予備フラット発光中に複数の測光センサ、分割測光センサから順番に測光信号を入力し、Ａ／Ｄ変換している。
しかしながら、カメラボディに搭載された内蔵ストロボなど、外付けストロボに比してメインコンデンサの容量が少ないストロボで予備フラット発光させるとメインコンデンサの残量が少なくなり過ぎる問題がある。そのため、内蔵ストロボで予備発光する場合は、１回しか発光させていなかった。１回の発光では、１個の測光センサからの測光信号しかＡ／Ｄ変換できなかった。
【０００３】
また、予備発光させずに、露光時にフィルム面からの反射光を受光するＴＴＬダイレクト測光によりストロボ発光停止を制御するストロボ発光制御装置も知られている（特許文献１）。
しかしながら、ＣＣＤ、ＣＭＯＳＳなどの撮像素子を搭載した電子スチルカメラの場合は、撮像素子表面における反射率が低く、ＴＴＬダイレクト測光によるセンサ出力が十分得られないことが分かった。そのため、電子スチルカメラにおいて、ＴＴＬダイレクト測光によるストロボ調光は困難であった。
【０００４】
【特許文献１】
特開平０７−０５０９４６号公報
【０００５】
【発明の目的】
本発明は、上記従来のストロボ発光制御装置の問題に鑑みてなされたもので、予備発光を少ない消費電力によって実現し、複数の測光センサから正確な測光データを取得可能なストロボ発光制御装置を提供することを目的とする。
【０００６】
【発明の概要】
この目的を達成するために本発明は、ストロボ装置の発光を制御する発光制御装置であって、異なる測光領域を測光する複数の測光センサと、ストロボ装置を発光させるトリガパルスを出力するとともに、前記各測光センサの出力を順番に選択してＡ／Ｄ変換する制御手段とを備え、前記制御手段は、前記ストロボ装置を本発光させる前に、所定周期のトリガパルスを出力して予備発光させるとともに、該所定周期のトリガパルスを基準にして、前記各測光センサの出力を順番にＡ／Ｄ変換することに特徴を有する。
この構成によれば、ストロボ装置を本発光させる前に、所定周期のトリガパルスを出力して間欠的な予備発光をさせるとともに、該所定周期のトリガパルスを基準にして、前記各測光センサの出力を順番にＡ／Ｄ変換するので、少ない電力でストロボ装置を予備発光させることが可能になり、しかも、複数の測光センサについて精度の高い測光データを得ることができる。
【０００７】
実際的には、前記制御手段は、前記所定周期のトリガパルスの出力を開始した後、所定数のトリガパルスが出力された後に出力される前記トリガパルスを基準にして、前記各測光センサの出力を順番に選択してＡ／Ｄ変換する構成とする。ストロボ装置をトリガ発光させた場合、初期は発光量または測光センサの出力が一定しない場合があるからである。さらに、前記トリガパルスの立ち上がりまたは立ち下がりから、光量が最大になる所定時間経過時にＡ／Ｄ変換を実行する。光量が最大になるときにＡ／Ｄ変換できるので、精度の高い測光データが得られる。
前記所定周期のトリガパルスは、ＰＷＭ制御されたパルスが好ましい。ストロボ装置等の特性に応じて、発光間隔、発光時間を設定することができるからである。
【０００８】
【発明の実施の形態】
以下図面に基づいて本発明を説明する。図１は、本発明を適用した実施形態であるディジタル一眼レフカメラの要部を示す縦断面図である。
【０００９】
このディジタル一眼レフカメラは、内蔵ストロボ装置のストロボ発光部３０を備えたカメラボディ１０と、カメラボディ１０に着脱自在に装着された撮影レンズ５０とを備えている。撮影レンズ５０によって被写体像が形成されるカメラボディ１０の設計上の像面位置に、撮像素子１８が配置されている。この撮像素子１８は、いわゆるＣＣＤまたはＣＭＯＳタイプの二次元カラーイメージセンサである。
【００１０】
通常の観察状態において、撮影レンズ５０を透過した被写体光束は、メインミラー１１で反射され、フォーカシングスクリーン１２上に結像される。撮影者は、このフォーカシングスクリーン１２上に形成された像を、ペンタプリズム１３およびアイピース１４を介して正立実像として観察する。
【００１１】
また、フォーカシングスクリーン１２を透過した被写体光束の一部は、アイピース１４の近傍に配置されたマルチ測光センサユニット１５に入射する。
マルチ測光センサユニット１５は、撮影領域を複数の測光領域に分割して各分割測光領域を測光可能な分割測光センサを備えている。図２には、マルチ測光センサユニット１５の各分割測光センサの受光領域（測光領域）を、撮影画面に対応させて示してある。このマルチ測光センサユニット１５は、撮影画面の中央に位置する中央測光領域を測光する中央分割測光センサＡと、その上下に位置する上下測光領域を測光する上、下分割測光センサＢ１、Ｂ２と、中央分割測光センサＡの左右に位置して左右測光領域を測光する左、右分割測光センサＣ１、Ｃ２と、これらの測光領域を囲む周辺測光領域を測光する４個の周辺分割測光センサＤ１、Ｄ２、Ｄ３、Ｄ４を備えている。なお、この実施形態は、４個の周辺分割測光センサＤ１、Ｄ２、Ｄ３、Ｄ４を１個の周辺分割測光センサＤとして利用して、合計６個の測光領域について測光可能する構成である。
【００１２】
一方、メインミラー１１の中央のハーフミラー部を透過した被写体光束は、サブミラー１６で反射されて、ＡＦセンサユニット１７に導かれる。ＡＦセンサユニット１７は、被写体光束を、複数個の二分割光束対に瞳分割して結像する分割光学系、および分割された各二分割被写体光束対を独立して受光する複数個のラインセンサを備えている。
【００１３】
撮影時にはメインミラー１１が上昇し、図示しないシャッタ幕が開いて露光が開始される。つまり、撮影レンズ５０により被写体像が撮像素子１８上に形成される。撮像素子１８は、被写体像を多数の光電変換素子で輝度に応じた電気信号に変換して蓄積し、露光終了後に蓄積した電気信号を出力する。この電気信号は、図示しない画像処理回路等により所定の画像処理が施されて所定のフォーマットの画像データに変換されて、内蔵キャッシュメモリまたは着脱自在の不揮発性メモリカード等に記憶される。
【００１４】
このディジタル一眼レフカメラの主要回路構成を、図３に示したブロック図を参照して説明する。このカメラボディ１０には、カメラ機能全体の動作を制御するＣＰＵ２１が搭載されている。ＣＰＵ２１は、マルチ測光センサユニット１５に定電圧Ｖｒｅｆを供給してマルチ測光センサユニット１５を動作可能とし、３本の選択ラインＳ１、Ｓ２、Ｓ３によって測光する測光領域を択一的に選択して測光動作させ、その出力信号を測光信号ラインＡｏｕｔから入力し、内蔵のＡ／Ｄ変換器２２ａによってＡ／Ｄ変換する。なお、ラインＧＮＤはマルチ測光センサユニット１５のグランドを接地するためのラインである。
【００１５】
さらにＣＰＵ２１は、充電回路２３を制御して、ストロボ発光部３０を予備発光および本発光させる。図において、充電信号ラインＲＩＦは、充電回路２３から充電電圧信号を入力するライン、トリガ信号ラインＦＴは、ストロボ発光部３０を発光させるトリガ信号を出力するラインであって、本実施形態では、予備発光のときは、ＣＰＵ２１が内蔵したパルス発振回路、本実施形態ではＰＷＭ発振器２２ｂから所定のＰＷＭパルスを出力し、充電回路２３を介してストロボ発光部３０をＰＷＭ発光させる。このＰＷＭパルスの周期は非常に短く、数十μＳ程度である。
【００１６】
また、本実施形態では、トリガ信号ラインＦＴのレベルをポートＰ１０でチェックし、チェックしたＰＷＭパルスの立ち上がりまたは立ち下がりを基準にして、マルチ測光センサユニット１５の分割測光センサを順番に選択し、その測光信号を入力してＡ／Ｄ変換器２２ａでＡ／Ｄ変換する。なお、ポートＰ１０でＰＷＭパルスをチェックするのは、本実施形態のＰＷＭ発振器２２ｂは、予め設定された所定周期、所定デューティー比のＰＷＭパルスをハード的に出力する構成だからである。
【００１７】
図３において、符号ＳＷＳは、図示しないレリーズボタンの半押しでオンする測光スイッチ、ＳＷＲは同レリーズボタンの全押しでオンするレリーズスイッチであって、これらのオンを受けて、ＣＰＵ２１が所定の処理を実行する。一般的には、測光スイッチＳＷＳがオンすると、マルチ測光センサユニット１５を作動させて測光する測光処理、露出値演算処理などを開始する。レリーズスイッチＳＷＲがオンすると露出処理を実行する。本実施形態においては、ストロボ撮影モードの場合に、図示しない電源スイッチがオンされた状態で充電回路２３を起動してメインコンデンサ充電処理を開始し、レリーズスイッチＳＷＲがオンしたらストロボのＰＷＭ予備発光処理を実行し、露出の際にストロボの本発光処理を実行する。
【００１８】
本実施形態の特徴である予備発光動作について、さらに図４に示したタイミングチャートを参照して説明する。
ＰＷＭ発振器２２ｂからＰＷＭパルスがトリガラインＦＴから出力されると、充電回路２３は、ＰＷＭパルスがハイレベルの間だけ、ストロボ発光部３０を発光させるＰＷＭ発光動作を開始する。図４には、ＰＷＭパルスのトリガ波形を示した。ＰＷＭパルスの周期、デューティー比等は、充電回路２３、ストロボ発光部３０、マルチ測光センサユニット１５の特性に応じて予め設定される。
【００１９】
ストロボ発光部３０が発光すると、被写体で反射したストロボ光をマルチ測光センサユニット１５が受光し、受光光量に応じた測光信号を測光信号ラインＡｏｕｔから出力する。この測光信号を、測光センサ出力波形として示した。
【００２０】
ここで、ストロボ発光部３０およびマルチ測光センサユニット１５はその特性上、安定した出力が得られるまでに所定の時間を要する。本実施形態のＰＷＭパルスの周期は非常に短いので、数パルス目まではストロボ発光部３０の発光特性およびマルチ測光センサユニット１５の出力特性が安定しない場合がある。そこで本実施の形態では、ＰＷＭパルストリガ出力開始後、４パルス出力されるまでは発光安定待ち時間として待機する。
４パルスが出力されると、次の５パルスの立ち下がりを基準（基準時）にして所定時間待ち、つまり光量が最大になる（分割測光センサの出力が安定する）まで一定時間待ってから、測光信号ラインＡｏｕｔから入力した、一つの分割測光センサからの測光信号をＡ／Ｄ変換器２２ａでＡ／Ｄ変換する。
【００２１】
以後、ＰＷＭトリガパルスが出力される毎に、その立ち下がりから一定時間経過したときに他の分割測光センサからの測光信号をＡ／Ｄ変換器２２ａでＡ／Ｄ変換する処理を繰り返して、全分割測光センサからの測光信号をＡ／Ｄ変換する。
【００２２】
本実施形態では、１発のＰＷＭトリガパルスで１個の分割測光センサの測光信号をＡ／Ｄ変換する構成なので、ＰＷＭ発振器２２ｂは、計１０発のトリガパルスを出力する。Ａ／Ｄ変換器を複数内蔵している場合は、１発のトリガに同期させて複数のＡ／Ｄ変換器により複数の測光信号をＡ／Ｄ変換させてもよい。
また、発光安定待ちパルス数は、パルス周期、充電回路、ストロボ発光部、分割測光センサなどの特性に応じて予め設定される。
【００２３】
なお、Ａ／Ｄ変換器２２ａでＡ／Ｄ変換した各ディジタルデータは、内蔵のＲＡＭ２２ｃに書き込み、全分割測光センサのセンサ出力信号をＲＡＭ２２ｃに書き込んだら、これらのデジタルデータを読み出して、適正な露出制御、ストロボ本発光量を得るために、測光スイッチＳＷＳで作動した測光処理、露出値演算処理を加味した演算等に使用する。
【００２４】
このように、ＰＷＭトリガパルス信号によってストロボ発光部３０を間欠発光させながら、ＰＷＭトリガパルス信号に同期して各分割測光センサの測光信号をＡ／Ｄ変換するのでＡ／Ｄ変換タイミングのバラツキがなく、内蔵ストロボを間欠発光させて複数の測光センサから測光信号を正確に取得することができる。
【００２５】
本実施形態の予備発光制御動作について、さらに図５、６に示したフローチャートを参照して説明する。この予備発光処理は、通常のカメラ撮影処理のメインルーチン中の一つの処理であって、測光スイッチＳＷＳがオンされ、測光処理、自動焦点調節処理などを実行した後に入る。このカメラ撮影処理は、ストロボ発光撮影であって、ＣＰＵ２１は、充電回路２３に充電処理を開始させてストロボ発光準備動作を開始している。
【００２６】
予備発光処理に入ると、先ず、充電信号ラインＲＴＦによって充電電圧を入力しＳ１１）、規定電圧以上でなければメインルーチンにリターンする（Ｓ１２；ＮＯ、ＲＥＴ）。規定電圧以上であれば、レリーズスイッチＳＷＲがオンされたかどうかをチェックし（Ｓ１２；ＹＥＳ、Ｓ１３）、オンされていなければメインルーチンにリターンし（Ｓ１３；ＮＯ、ＲＥＴ）、オンされていればＳ１４以降の予備発光処理に進む（Ｓ１３；ＹＥＳ、Ｓ１４）。つまり本実施形態の特徴である予備発光は、充電電圧が規定値以上あり、測光スイッチＳＷＳおよびレリーズスイッチＳＷＲがオンされたときに実行する。以下、レリーズスイッチＳＷＲがオンされた場合の処理について説明する。
【００２７】
Ｓ１４では、ＰＷＭ周波数等設定処理により、ＰＷＭ発振器２２ｂを起動可能な状態に設定する。内蔵カウンタのカウント値（Ｃｏｕｎｔ値）に０をセットし（Ｓ１５）、ＰＷＭ出力許可を出す（Ｓ１６）。ＰＷＭ出力許可が出されると、ＰＷＭ発振器２２ｂが、トリガラインＦＴにＰＷＭトリガ信号を出力する。このＰＷＭトリガ信号を受けた充電回路２３は、ＰＷＭトリガ信号の立ち上がりに同期してハイレベルの間だけストロボ発光部３０を発光させる。そうして、被写体で反射したストロボ光をマルチ測光センサユニット１５で受光し、各分割測光センサが受光光量に応じた測光信号を出力する。
【００２８】
ストロボ発光部３０およびマルチ測光センサユニット１５はその特性上、安定した出力が得られるまでに所定の時間を要する。本実施形態のＰＷＭ発光周期は非常に短いので、数パルス目までストロボ発光部３０およびマルチ測光センサユニット１５の特性が安定しない。
そこで本実施形態では、発光安定Ｗａｉｔ処理によって発光が安定するのを待つ（Ｓ１７）。本実施形態の発光安定Ｗａｉｔ処理は、ＰＷＭトリガ信号が４パルス出力されるのを待つ処理である。
【００２９】
４パルス分のＰＷＭトリガ信号を検出したら、ポートＰ１０がハイ（Ｈｉｇｈ）レベルに立ちあがるのを待つ（Ｓ１８）。ポートＰ１０がハイレベルに立ち上がったら（Ｓ１８；ＹＥＳ）、カウンタのカウント値（Ｃｏｕｎｔ値）に１加算して、カウント値（Ｃｏｕｎｔ値）が７以下かどうかをチェックする（Ｓ１９）。最初はカウント値（Ｃｏｕｎｔ値）が１なので（Ｓ１９；ＹＥＳ）、測光センサｃｈ選択処理を実行する（Ｓ２０）。測光センサｃｈの選択は、測光センサ選択ラインＳ１−Ｓ３によって行う。選択する順序は任意であるが、本実施例では分割測光センサＡ、Ｂ１、Ｂ２、Ｃ１、Ｃ２、Ｄの順に選択し、切り換えるものとする。
【００３０】
次に、選択した分割測光センサから測光信号ラインＡｏｕｔに出力される測光信号を入力し、ポートＰ１０から入力したＰＷＭトリガ信号の立ち上がりまたは立ち下がりに同期して、Ａ／Ｄ変換器２２ａによりＡ／Ｄ変換するＡ／Ｄ変換関数処理を実行し、Ａ／Ｄ変換値（ディジタル測光データ）を内蔵のＲＡＭ２２ｃにコピー（書き込み）してＳ１９に戻る。（Ｓ２１、Ｓ２１、Ｓ１８）
【００３１】
以上のＳ１９〜Ｓ２２の処理を繰り返して、６個の分割測光センサ全てについてＡ／Ｄ変換値をＲＡＭ２２ｃに書き込む。そうして、６個目の分割測光センサについての処理が終了するとカウント値（Ｃｏｕｎｔ値）が７になるので、Ｓ１９からＳ２３に進み、ＰＷＭ出力禁止処理を実行してリターンする（Ｓ１９；ＹＥＳ、Ｓ２３、ＲＥＴ）。ＰＷＭ出力禁止処理により、ＰＷＭ発振器２２ｂが停止する。
【００３２】
Ｓ２１のＡ／Ｄ変換関数処理の詳細について、図６に示したサブルーチンを参照してさらに詳細に説明する。
この処理に入ると、先ず、ポートＰ１０がロー（Ｌｏｗ）レベルに落ちるのを待つ（Ｓ３１；ＮＯ、Ｓ３１）。ポートＰ１０がローレベルに落ちたら、光量ピークに達するまで待機する（Ｓ３１；ＹＥＳ、Ｓ３２）。ここで光量ピークとは、分割測光センサの出力波形が最大になるときの意でもあるが、予め設定された所定時間待つ処理である。
【００３３】
所定時間経過したら、Ａ／Ｄ変換器２２ａに、Ａ／Ｄ変換処理をスタートさせ（Ｓ３３）る。つまり、Ｓ２０で選択された分割測光センサから出力され、測光信号ラインＡｏｕｔから入力した測光信号を、ＰＷＭトリガパルスの立ち下がりから一定時間経過時に、Ａ／Ｄ変換器２２ａがＡ／Ｄ変換を開始する。そうして、Ａ／Ｄ変換が終了するのを待つ（Ｓ３４；ＮＯ、Ｓ３４）。
【００３４】
Ａ／Ｄ変換が終了したら（Ｓ３４；ＹＥＳ）、ポートＰ１０がハイ（Ｈｉｇｈ）レベルに立ち上がるのを待つ（Ｓ３５；ＮＯ、Ｓ３５）。ローレベルの状態でＳ２１に戻ると、次にＳ３１に入ったときに、次のＰＷＭトリガパルスが立ち上がる前にＳ３１に戻って来る可能性があるからである。
【００３５】
以上の通り本発明の実施形態によれば、予備発光において、ストロボ発光部３０をＰＷＭトリガパルスによってＰＷＭ予備発光させながら、かつＰＷＭトリガパルスに同期して分割測光センサの出力をＡ／Ｄ変換して測光データを得るので、ストロボ発光部３０が間欠発光しても、各間欠発光毎に一定の光量時の測光データを取得可能となる。しかも、ＰＷＭによる間欠発光なので、消費電力が少なくて済む。
【００３６】
以上、本発明の実施形態では、ＰＷＭトリガパルスの立ち下がりに同期してＡ／Ｄ変換のタイミングを設定したが、ＰＷＭトリガパルスの立ち上がりに同期させてもよい。また、ストロボ発光時から測光センサ受光時までの時間は被写体距離によって相違するので、自動焦点調節処理により得た被写体距離に応じて出力安定待ち時間を可変とし、最も安定した出力が得られるように調整してもよい。
【００３７】
図示実施形態としてディジタルの一眼レフカメラを示したが、本発明は、銀塩フィルムカメラにも適用できる。さらに本発明は、一眼レフカメラタイプに限られず、レンズシャッタカメラタイプにも適用できる。
【００３８】
【発明の効果】
以上の説明から明らかな通り本発明は、ストロボ装置を本発光させる前に、所定周期のトリガパルスを出力して予備発光させるとともに、該所定周期のトリガパルスを基準にして、前記各測光センサの出力を順番にＡ／Ｄ変換するので、少ない電力でストロボ装置を予備発光させて、複数の測光センサについて精度の高い測光データを得ることができる。
【図面の簡単な説明】
【図１】本発明を適用した実施形態であるディジタル一眼レフカメラの要部を示す縦断面図である。
【図２】同ディジタル一眼レフカメラに搭載されたマルチ測光センサユニットの各分割測光センサの受光領域（測光領域）を、撮影画面に対応させて示した図である。
【図３】同ディジタル一眼レフカメラの主要回路構成の実施形態をブロックで示した図である。
【図４】同ディジタル一眼レフカメラの予備発光動作に関するタイミングチャートを示した図である。
【図５】同ディジタル一眼レフカメラの予備発光制御動作に関するメインフローチャートを示した図である。
【図６】同メインフローチャート中のＡ／Ｄ変換関数処理のフローチャートを示した図である。
【符号の説明】
１０  カメラボディ
１１  メインミラー
１２  フォーカシングスクリーン
１３  ペンタプリズム
１４  アイピース
１５  マルチ測光センサユニット
１７  ＡＦセンサユニット
１８  撮像素子
２１  ＣＰＵ
２２ａ  Ａ／Ｄ変換器
２２ｂ  ＰＷＭ発振器
２２ｃ  ＲＡＭ
２３  充電回路
３０  ストロボ発光部
５０  撮影レンズ
Ｂ１  上分割測光センサ
Ｂ２  下分割測光センサ
Ｃ１  左分割測光センサ
Ｃ２  右分割測光センサ
Ｄ１  Ｄ２  Ｄ３  Ｄ４  周辺分割測光センサ
Ｄ  周辺分割測光センサ
Ｓ１  Ｓ２  Ｓ３  測光センサ選択ライン
【図１】
2004272071.tif 000003
【図２】
2004272071.tif 000004
【図３】
2004272071.tif 000005
【図４】
2004272071.tif 000006
【図５】
2004272071.tif 000007
【図６】
2004272071.tif 000008